(57)【要約】      （修正有）【課題】複数本ののぼり旗を並置した場合に、ある方向からのぼり旗を見る者にとっても、反対方向からのぼり旗を見る者にとっても、一定数ののぼり旗は正面側から視認できるようにすることを可能とするのぼり旗を提供する。【解決手段】のぼり旗は１０、いずれも旗布の両側縁部を旗竿に取り付け可能に構成してある。旗布１１のどちらの側縁部にも旗竿３を取り付けることが可能であることから、右側縁部、左側縁部に取り付けたものを混在させれば、複数本ののぼり旗１０を並置させた場合でも、常に一定数ののぼり旗１０は表面を向くことになる。【選択図】図１
0003179188.tif 000002
【実用新案登録請求の範囲】
【請求項１】
旗布（１１）の両側縁部を、旗竿に取り付け可能に構成したのぼり旗。
【請求項２】
旗布（１２）の両側縁部に袋状の袋部（１３）を設けた請求項１記載ののぼり旗。
【請求項３】
旗布（１４）の両側縁部に複数の孔部（１５）を連設した請求項１記載ののぼり旗。
【請求項４】
旗布（１６）の両側縁部に凸条（１７）を設け、旗竿に設けた凹溝（１８）に当該凸条（１７）を嵌合可能に構成した請求項１記載ののぼり旗。
【請求項５】
旗布（１９）の両側縁部に、嵌合可能な雄型ホック（２０）と雌型ホック（２１）を並列して設けた請求項１記載ののぼり旗。
【請求項６】
旗布（２２）の両側縁部に、ボタン（２３）と当該ボタン（２３）を掛止可能な孔部（２４）を並列して設けた請求項１記載ののぼり旗。
【考案の詳細な説明】
【技術分野】
【０００１】
本考案は、街頭での広告等に用いられるのぼり旗に関する。
【背景技術】
【０００２】
街頭での広告等に用いられるのぼり旗１は、図１４に示すように、縦長の長方形の旗布２の上縁及び一方の側縁に、旗竿３を通すための乳４が所定間隔を開けて連設されており、支持台５に立設された縦の旗竿３とこの旗竿３上方の水平方向に設けたカンザシ６に旗布２を取り付けた状態で使用される。
【０００３】
特許文献１には、左右両側に複数の乳を取り付けたのぼり旗が開示されている。
【０００４】
特許文献２には、のぼり旗の乳を、左側に取り付けたものと右側に取り付けたものを、一定数量づつ立設するのぼり旗の設置方法が開示されている。
【先行技術文献】
【特許文献】
【０００５】
【特許文献１】特開２００５−８４３８５号公報
【特許文献２】特開２０１０−２７１４３８号公報
【考案の概要】
【考案が解決しようとする課題】
【０００６】
街頭での広告等に用いられるのぼり旗は、より宣伝効果を高めるために同一広告を表示したものを複数本を並べて設置することが多い。
【０００７】
のぼり旗の旗布には、通常表面のみに広告文字が印刷されており、裏面には逆を向いた文字等が透けて見えるだけである。図１４ａは表面から見た状態を示すものであり、文字は通常通りに表示される。一方、図１４ｂは裏面から見た状態を示すものであり、文字が反転した状態で透けて見えることになる。
【０００８】
しかも、乳４は旗布２の上縁及び一方の側縁のみに連設されていることから、並置されるのぼり旗１は図１５に示すように、表面が皆同じ方向を向くことになりがちである。とすると一方方向から見る者にとっては、どののぼり旗１の広告文字もよく認識できることになるが、反対方向から見る者にとっては、図１６に示すように、どののぼり旗１の広告文字も認識しづらいものになりがちである。
【０００９】
そこで、本考案は複数本ののぼり旗を並置した場合に、ある方向からのぼり旗を見る者にとっても、反対方向からのぼり旗を見る者にとっても、一定数ののぼり旗は正面側から視認できるようにすることを可能とするのぼり旗を提供することを目的とする。
【課題を解決するための手段】
【００１０】
上記の目的を達成する本考案の構成は次の通りである。
【００１１】
（１）  請求項１記載ののぼり旗は、旗布の両側縁部を、旗竿に取り付け可能に構成した。
【００１２】
（２）  請求項２記載ののぼり旗は、旗布の両側縁部に袋状の袋部を形成した。
【００１３】
（３）  請求項３記載ののぼり旗は、旗布の両側縁部に複数の孔部を連設した。
【００１４】
（４）  請求項４記載ののぼり旗は、旗布の両側縁部に凸条を設け、旗竿に設けた凹溝に当該凸条を嵌合可能に構成した。
【００１５】
（５）  請求項５記載ののぼり旗は、旗布の両側縁部に、嵌合可能な雄型ホックと雌型ホックを並列して設た。
【００１６】
（６）  請求項６記載ののぼり旗は、旗布の両側縁部に、ボタンと当該ボタンを掛止可能な孔部を並列して設けた。
【考案の効果】
【００１７】
本考案に係るのぼり旗は１０、いずれも旗布の両側縁部を旗竿に取り付け可能に構成してある。すなわち、図１ａに示すように旗布１１の左側縁部に旗竿３を取り付けたり、図１ｂに示すように旗布１１の右側縁部に旗竿３を取り付けることが可能となる。図１ｃは図ｂに示すのぼり旗を裏面から見たものである。
【００１８】
かように本考案によれば、旗布１１のどちらの側縁部にも旗竿３を取り付けることが可能であることから、図２に示すように右側縁部、左側縁部に取り付けたものを混在させれば、複数本ののぼり旗１０を並置させた場合でも、常に一定数ののぼり旗１０は表面を向くことになる。
【００１９】
すなわち、ある方向からのぼり旗を見る者にとっても、反対方向からのぼり旗を見る者にとっても、一定数ののぼり旗は正面側から視認可能となるものである。
【図面の簡単な説明】
【００２０】
【図１】本考案の正面図
【図２】実施状態を示す説明図
【図３】ａ  請求項２記載の考案における旗布の正面図              ｂ  同、Ａ−Ａ線断面図
【図４】請求項２記載の考案の実施状態を示す説明図
【図５】請求項３記載の考案における旗布の正面図
【図６】請求項３記載の考案の実施状態を示す説明図
【図７】ａ  請求項４記載の考案における旗布の背面図              ｂ  同、旗竿の正面図
【図８】請求項４記載の考案の実施状態を示す説明図
【図９】請求項５記載の考案における旗布の正面図
【図１０】請求項５記載の考案の実施状態を示す説明図
【図１１】ａ  雌型フックの断面図              ｂ  雄型フックの断面図
【図１２】請求項６記載の考案における旗布の正面図
【図１３】請求項６記載の考案の実施状態を示す説明図
【図１４】ａ  従来例に係るのぼり旗の正面図              ｂ  同、背面図
【図１５】従来例の実施状態を示す説明図
【図１６】従来例の実施状態を示す説明図
【考案を実施するための形態】
【００２１】
一、  以下、本考案の実施形態について図面を用いて説明する。なお、本考案の実施の形態は、下記の実施形態に何ら限定されることはなく、本考案の技術的範囲に属する限り種々の形態を採りうる。
【００２２】
二、  本考案に係るのぼり旗を構成する旗布は、ポリエステル繊維製の織物地で構成することが好ましいが、材質及び構成はこれに限られるものではない。ただし、のぼり旗が屋外に掲出される関係上、耐水性及び耐光性に優れ、かつ、広告が印刷し易いように染色性に優れるものが有用である。また、旗竿、カンザシ、乳、旗竿を立設する支持部材等は従来品をそのまま使用できるものである。
【００２３】
三、  請求項１記載に係るのぼり旗は、旗布の両側縁部を旗竿に取り付け可能に構成してあり、その具体的方法は特に限定を受けるものではない。
【００２４】
四、  請求項２記載の考案は、図３ａ、ｂに示すように旗布１２の両側縁部を袋状に形成した袋部１３を設けてある。図４に示すように、この袋部１３に旗竿３を緩挿させることで旗布１２の左右いずれの側縁部においても、当該旗布１２を旗竿３に取り付けることが可能となるものである。袋部１３の形成方法は旗布１２の両側縁を折り返し、端縁で縫着すれば足りる。
【００２５】
また、旗布の上縁はカンザシ６及び乳４を用いて取り付ければ足りるものである。
【００２６】
五、  請求項３記載の考案は、図５に示すように旗布１４の両側縁部に複数の孔部１５を連設した。図６に示すように、この孔部１５に旗竿３を緩挿することで旗布１４の左右いずれの側縁部においても、当該旗布１４を旗竿３に取り付けることが可能となるものである。
【００２７】
また、旗布１４の上縁はカンザシ６及び乳４を用いて取り付ければ足りるものである。
【００２８】
六、  請求項４記載ののぼり旗は、図７ａに示すように旗布１６の裏面両側縁部に凸条１７を設けてある。この凸条１７は材質は特に限定されないが、樹脂で形成することが好ましい。一方、図７ｂに示すように旗竿３には当該凸条１７を嵌合可能な凹溝１８が設けてある。
【００２９】
図８に示すように、この凹溝１８に旗布１６に設けた凸条１７を嵌合することで、旗布１６の左右いずれの側縁部においても、当該旗布１６を旗竿３に取り付けることが可能となるものである。
【００３０】
また、旗布の上縁はカンザシ６及び乳４を用いて取り付ければ足りるものである。
【００３１】
七、  請求項５記載ののぼり旗は、図９に示すように旗布１９の両側縁部に、嵌合可能な雄型ホック２０と雌型ホック２１を並列して設けてある。図１０に示すように旗竿３に旗布１９の側縁部を巻きつけ、雄型ホック２０と雌型ホック２１を嵌合することで、旗布１９を旗竿３に固定するものである。
【００３２】
詳述すれば、図１１に示すように雄型ホック２０と雌型ホック２１は、雌・雄の嵌合用部材２０ａ、２１ａとそれらを旗布に止着するリベット部材２０ｂ、２１ｂとからなるホックを採用してある。旗布１９の両側縁に、リベット部材２０ｂと雄の嵌合用部材２０ａとから成る雄型ホック２０と、リベット部材２１ｂと雌の嵌合用部材２１ａとから成る雌型ホック２１を、相対向して配置することにより、旗布１９をスナップ作用によって旗竿３に着脱することが可能となるのである。
【００３３】
なお、ホックは上述のものに限定を受けるものではなく、雄型スナップと雌型スナップでも代用可能である。
【００３４】
また、旗布１９の上縁はカンザシ６及び乳４を用いて取り付ければ足りるものである。
【００３５】
八、  請求項６記載ののぼり旗は、図１２ａ、ｂに示すように、旗布２２の裏面両側縁部にボタン２３を取り付けると共に、当該ボタン２３を掛止可能な孔部２４を相対向して配置してある。図１３に示すように旗竿３に旗布２２の側縁部を巻きつけ、ボタン２３を孔部２４に掛止することで、旗布２２を旗竿３に固定するものである。
【００３６】
また、旗布２２の上縁はカンザシ６及び乳４を用いて取り付ければ足りるものである。
【符号の説明】
【００３７】
10・・のぼり旗
１１・・旗布
１２・・旗布
１３・・袋部
１４・・旗布
１５・・孔部
１６・・旗布
１７・・凸条
１８・・凹溝
１９・・旗布
２０・・雄型ホック
２１・・雌型ホック
２２・・旗布
２３・・ボタン
２４・・孔部
【図１】
0003179188.tif 000003
【図２】
0003179188.tif 000004
【図３】
0003179188.tif 000005
【図４】
0003179188.tif 000006
【図５】
0003179188.tif 000007
【図６】
0003179188.tif 000008
【図７】
0003179188.tif 000009
【図８】
0003179188.tif 000010
【図９】
0003179188.tif 000011
【図１０】
0003179188.tif 000012
【図１１】
0003179188.tif 000013
【図１２】
0003179188.tif 000014
【図１３】
0003179188.tif 000015
【図１４】
0003179188.tif 000016
【図１５】
0003179188.tif 000017
【図１６】
0003179188.tif 000018